(57)【要約】【課題】画像データを白紙と判定するレベルに応じて、用紙１枚に含める印刷対象のページの組が確認できるように原稿の印刷プレビューを表示する情報処理装置を提供する。【解決手段】画像処理装置１０が、白紙を検知する検知レベルを設定する。画像処理装置１０が、原稿を読み取って画像データを生成し、上記設定された検知レベルに基づいて、上記生成された画像データが白紙であるか否かを判断する。そして、画像処理装置１０が、画像データが白紙であるか否かの判断結果に応じて、用紙１枚に含める印刷対象のページの組み合わせの区切りを認識可能なように原稿の印刷プレビューを表示する。【選択図】図１
2015023559.tif 000002
【特許請求の範囲】
【請求項１】
原稿を読み取って画像データを生成する読取手段と、
白紙の検知レベルを設定する設定手段と、
前記設定された検知レベルに基づいて、前記生成された画像データが白紙であるか否かを判断する判断手段と、
前記判断手段による画像データが白紙であるか否かの判断結果に応じて、用紙１枚に含める印刷対象のページの組み合わせの区切りを認識可能なように前記原稿を画面にプレビュー表示する表示制御手段とを備える
ことを特徴とする情報処理装置。
【請求項２】
前記設定手段は、ユーザの操作にしたがって、前記検知レベルを変更し、
前記表示制御手段は、前記変更された検知レベルに応じて、前記用紙１枚に含める印刷対象のページの組み合わせの区切りを変更する
ことを特徴とする請求項１に記載の情報処理装置。
【請求項３】
前記表示制御手段は、さらに、用紙へのページの割り付けに関する印刷設定に基づいて、用紙１枚に含める印刷対象のページの組み合わせの区切りを決定する
ことを特徴とする請求項１または請求項２に記載の情報処理装置。
【請求項４】
前記表示制御手段は、前記用紙１枚に含める印刷対象のページの組み合わせの区切りの位置を示す情報を、前記原稿がプレビュー表示される画面上に表示する
ことを特徴とする請求項３に記載の情報処理装置。
【請求項５】
前記印刷設定は、少なくとも両面印刷設定またはＮ−ｕｐ印刷設定を含む
ことを特徴とする請求項３または請求項４に記載の情報処理装置。
【請求項６】
前記表示制御手段は、前記印刷設定が両面印刷設定である場合に、前記画像データが白紙であると２回判断される毎に、印刷対象のページの組み合わせの区切りが発生したと判断する
ことを特徴とする請求項５に記載の情報処理装置。
【請求項７】
前記表示制御手段は、前記印刷設定がＮ−ｕｐ印刷設定である場合に、前記画像データが白紙であるとＮ回判断される毎に、印刷対象のページの組み合わせの区切りが発生したと判断する
ことを特徴とする請求項５に記載の情報処理装置。
【請求項８】
前記表示制御手段は、前記原稿がプレビュー表示される画面上で、前記白紙であると判断された画像データを、前記白紙でないと判断された画像データとは異なる表示態様で表示する
ことを特徴とする請求項１乃至７のいずれか１項に記載の情報処理装置。
【請求項９】
請求項１乃至８のいずれか１項に記載の情報処理装置として機能する画像処理装置であって、
前記検知された白紙をスキップして前記原稿を印刷する印刷手段を備える
ことを特徴とする画像処理装置。
【請求項１０】
原稿を読み取って画像データを生成する工程と、
白紙を検知する検知レベルを設定する設定工程と、
前記設定された検知レベルに基づいて、前記生成された画像データが白紙であるか否かを判断する工程と、
前記画像データが白紙であるか否かの判断結果に応じて、用紙１枚に含める印刷対象のページの組み合わせの区切りを認識可能なように前記原稿を画面にプレビュー表示する工程とを有する
ことを特徴とする制御方法。
【請求項１１】
請求項１０に記載の制御方法をコンピュータに実行させることを特徴とするコンピュータプログラム。
【発明の詳細な説明】
【技術分野】
【０００１】
本発明は、情報処理装置、制御方法およびコンピュータプログラムに関する。
【背景技術】
【０００２】
自動原稿搬送装置（ＡＤＦ：Auto Document Feeder）で原稿を読み取り、読み取った画像データの中から白紙を検知し、白紙をスキップすることでデータの除去を行う画像処理装置が提案されている。原稿の用紙種類として、白い用紙、予め着色された色付用紙、不純物を多く含んだ再生紙などが挙げられる。白紙とは印字情報を有さない原稿のことを指し、用紙の種類は問わない。
【０００３】
特許文献１は、白紙と判定された画像データを確認できるようにするために、白紙と判定された画像データの表示と非表示とを切り替えてプレビュー表示を行う画像処理装置を開示している。
【０００４】
また、特許文献２は、白紙と判定された画像データのみのプレビュー画像を生成して表示したり、前後のページも含めて白紙と判定された画像データの表示を行ったり、原稿種別の情報を合わせてプレビュー画像表示する画像処理装置を開示している。
【先行技術文献】
【特許文献】
【０００５】
【特許文献１】特許４６１０６４４号公報
【特許文献２】特開２０１０−２５８７９８号公報
【発明の概要】
【発明が解決しようとする課題】
【０００６】
しかし、従来の画像処理装置では、ユーザは、どの画像データが白紙であると検知されたかをプレビューで確認することはできるが、例えば両面印刷が設定されており、白紙と判定された画像データをスキップして印刷しない場合に、以下の課題がある。この画像処理装置では、画像データを白紙と判定するレベルに応じて、どの画像データが両面印刷のページの組（表面と裏面）かを確認できるようにプレビュー表示することができない。また、従来の画像処理装置では、例えば、Ｎｕｐ印刷をする場合など、複数ページを一枚に集約して印刷する場合、集約したページの組がユーザの意図した原稿の組になっているかを確認することができない。つまり、従来の画像処理装置では、ユーザは、画像データを白紙と判定するレベルを変更し、当該変更されたレベルに応じて、どのページが用紙１枚に組として含められるかを確認することができなかった。
【０００７】
本発明は、画像データを白紙と判定するレベルに応じて、用紙１枚に含める印刷対象のページの組が確認できるように原稿の印刷プレビューを表示する情報処理装置の提供を目的とする。
【課題を解決するための手段】
【０００８】
本発明の一実施形態の情報処理装置は、原稿を読み取って画像データを生成する読取手段と、白紙を検知する検知レベルを設定する設定手段と、前記設定された検知レベルに基づいて、前記生成された画像データが白紙であるか否かを判断する判断手段と、前記判断手段による画像データが白紙であるか否かの判断結果に応じて、用紙１枚に含める印刷対象のページの組み合わせの区切りを認識可能なように前記原稿をプレビュー表示する表示制御手段とを備える。
【発明の効果】
【０００９】
本発明の情報処理装置によれば、ユーザは、白紙の検知レベルに応じて、用紙１枚に含める印刷対象のページの組が確認できるようになる。
【図面の簡単な説明】
【００１０】
【図１】本実施形態の情報処理装置の構成例を示す図である。
【図２】画像入力部の内部構成例を示す図である。
【図３】原稿の読み取り画像データの輝度分布の例を説明する図である。
【図４】画像処理装置が備える操作部の構成の一例を説明する平面図である。
【図５】画像表示部に表示されるプレビュー画面の一例を示す図である。
【図６】プレビュー表示用の画像データを表示する処理の例を説明する図である。
【図７】プレビュー画面の表示例を示す図である。
【図８】プレビュー表示処理を説明する図である。
【図９】白紙判定レベルの変更に応じたプレビュー画面の変更を示す図である。
【図１０】プレビュー表示処理を説明する図である。
【発明を実施するための形態】
【００１１】
（実施例１）
図１は、本実施形態の情報処理装置の構成例を示す図である。本実施例の情報処理装置として、画像処理装置１０を例にとって説明する。画像処理装置１０は、原稿を読み取って画像データを生成する。画像処理装置１０は、例えば、プリンタやファクシミリ装置である。
【００１２】
画像処理装置１０は、制御部１０１乃至ＤＭＡＣ１１１を備える。制御部１０１は、装置全体を制御する。制御部１０１は、ＣＰＵ（Central Processing Unit）等により構成される。
【００１３】
画像処理装置１０が備える各処理部は、制御バス１０２を介して通信する。ＲＯＭ（Read Only Memory）１０３には、制御部１０１が実行するプログラムが記憶されている。ＲＡＭ（Random Access Memory）１０４は、制御部１０１による制御において、制御データの一時記憶、あるいはワークメモリとして使用される。
【００１４】
操作部１０５は、装置の動作を指示する。操作部１０５は、ユーザに対する情報の提供やユーザからの指示の受付を行う。例えば、タッチパネルディスプレイによって構成され、ユーザは不図示の操作表示画面を介して、印刷や保存といった所望の処理を行うことができる。
【００１５】
画像入力部１０６は、原稿の画像データの読み取りを行う。画像処理部１０７は、画像入力部１０６により読み取った画像データに対して画像処理を施す。記憶部１０８は、画像入力部１０６あるいは画像処理部１０７の入出力データを記憶する。記憶部１０８は、ハードディスクドライブ（ＨＤＤ）、ソリッドステートドライブ（ＳＳＤ）、ＤＤＲ−ＳＤＲＡＭ等により構成される。ＨＤＤは、Ｈａｒｄ  Ｄｉｓｋ  Ｄｒｉｖｅの略称である。ＳＳＤは、Ｓｏｌｉｄ  Ｓｔａｔｅ  Ｄｒｉｖｅの略称である。ＤＤＲ−ＳＤＲＡＭは、Ｄｏｕｂｌｅ  Ｄａｔａ  Ｒａｔｅ  Ｓｙｎｃｈｒｏｎｏｕｓ  Ｄｙｎａｍｉｃ  Ｒａｎｄｏｍ  Ａｃｃｅｓｓ  Ｍｅｍｏｒｙの略称である。
【００１６】
画像出力部１０９は、画像処理部１０７によって処理された画像データを印字出力する。画像出力部１０９は、画像処理部１０７によって検知された白紙については、当該白紙をスキップして原稿を印刷する。画像送信部１１０は、画像入力部１０６によって読み取った原稿の画像データや画像処理部１０７によって処理された画像データ、あるいは記憶部１０８に記憶した画像データを送信する。ＤＭＡＣ１１１は、制御部１０１の制御に基づき、画像入力部１０６、画像処理部１０７、記憶部１０８、画像出力部１０９、画像送信部１１０間のデータ転送制御を行う。ＤＭＡＣは、Ｄｉｒｅｃｔ  Ｍｅｍｏｒｙ  Ａｃｃｅｓｓ  Ｃｏｎｔｒｏｌｌｅｒの略称である。データバス１１２はＤＭＡＣ１１１によるデータ転送を行う。ネットワーク１１３は、画像送信部１１０に接続される装置外部のネットワークである。ネットワーク１１３は、例えばＬＡＮ（Local Area Network）である。
【００１７】
図２は、画像入力部の内部構成例を示す図である。読取デバイス１０６１は、ＣＣＤ、ＣＭＯＳ、あるいはＣＩＳにより構成される。原稿の画像データは読取デバイス１０６１を介して読み取られ、読み取られたアナログの画像データが後段処理部に対して出力される。
【００１８】
Ａ／Ｄ変換部１０６２は、読み取りデバイス１０６１による読み取りデータをデジタル変換する。読取画像処理部１０６３は、読み取った画像データのハイライト部（白）およびダーク部（黒）のレベルを合わせるシェーディング補正、ＭＴＦ補正、高周波抑制処理等の処理を行う。ＭＴＦは、Ｍｏｄｕｌａｔｉｏｎ  Ｔｒａｎｓｆｅｒ  Ｆｕｎｃｔｉｏｎの略称である。
【００１９】
白紙検知部１０６４は、読取画像処理部１０６３により処理された画像データを参照し、読み取られた画像データが白紙であるかの検知（白紙判定）を行う。ここで白紙とは印字情報（すなわちコンテンツ）がないと判定された原稿を指す。印字情報がなければ、色紙のような色付きの原稿や再生紙も白紙として扱う。すなわち白紙検知とは、原稿に印刷されたコンテンツの有無の判定である。また、これらを読み取った際の画像データ、読み取った際の裏写りのみの画像データも以下では白紙と呼ぶ。一方で少量の文字や網点で印字された薄い文字等で記載されている原稿は白紙ではない。手書きまたはプリンタで印字された印字情報を含む用紙を読み取った画像データはコンテンツデータと呼ぶ。白紙検知部１０６４は、例えば、読取画像処理部１０６３により処理された画像データの頻度分布を用いて白紙を検知する。白紙検知部１０６４は、読取画像処理部１０６３が出力する画像データをもとに、原稿１枚分の読取画像データの頻度分布を生成する。そして、白紙検知部１０６４は、生成された頻度分布から平均値、分散を求める。分散を求める理由は、原稿の読み取り画像データに有意な情報（白紙ではない情報、コンテンツ）が含まれている場合、算出された分散が大きくなる特徴を用いるためである。
【００２０】
図３は、原稿の読み取り画像データの輝度分布の例を説明する図である。
図３において、横軸は、入力画像データの精度を８ｂｉｔ（値域：０〜２５５）とした場合の画素値を示し、縦軸は、その度数を示している。図３に示す例では、読取デバイス１０６１による読み取り画像データを輝度情報とし、白に近いデータであるほど数値が大きく、黒に近いデータであるほど数値が小さいものとする。
【００２１】
原稿の読み取り画像データが白紙である場合、読み取った画素データの値（輝度情報）は数値が大きくなる。したがって、白紙の頻度分布は、図３（Ａ）のように、高輝度に度数が集中した形となる。同図において、読み取った原稿画像データが白であると判断する閾値として３０１を定義すると、閾値３０１以上の画素データの総数を白の情報とすることができる。そして、符号３０２で示した範囲、すなわち閾値３０１を下回る画素データの総数を白以外の情報を含むものとすることができる。
【００２２】
読み取り画像データに情報を含んでいる場合、図３（Ｂ）に示すように、閾値３０１を下回る範囲３０２に白以外の情報を示す画像データの度数が存在する。このような頻度分布の形となった場合、求められた分散の値は大きくなる。したがって、頻度分布から求めた平均値、分散を算出することによって画像データが白紙であるか否かの判定が可能となる。この例では、画像処理装置１０は、算出された分散が所定値を超える場合に、画像データが白紙でないと判断し、分散が所定値以下である場合に、画像データが白紙であると判断する。なお、白紙の判定に分散値を求める理由は、読み取る原稿画像データを複数の領域に分割し、分割領域毎に頻度分布、および分散を求めることで、領域毎のバラツキも考慮した白紙判定が可能となるからである。
【００２３】
図３に示す例では、画像処理装置１０は、白紙検知部１０６４による白紙の判定に頻度分布、および頻度分布から求められる分散を用いて、白紙を検知するが、本発明における白紙の検知方法は、この方法に限定されるものではない。すなわち、読取画像データのエッジを検出する処理部を設け、画像処理装置が、エッジと判定された画素を計数し、その計数値に応じて白紙を検出するようにしてもよい。また、画像処理装置が、頻度分布、分散、エッジ数を組み合わせて白紙の判定をするようにしてもよい。
【００２４】
白紙判定を行う場合、画像形成装置は、例えば、ユーザ操作にしたがって、白紙判定レベルを設定する。白紙判定レベルは、画像データを白紙として検知する検知レベルである。例えば、原稿の輝度分布が図３（Ｃ）に示す頻度分布である場合、範囲３０２に画素データの頻度が存在するので、白紙と判定とされ難い状態となる。しかし、閾値３０１を方向３０３に変更する（下げる）と、範囲３０２が狭まり、閾値３０１を超える画素データの頻度が多くなる。その結果、画像処理装置が算出する分散が小さくなり、白紙と判定し易くなる。
【００２５】
一方、閾値３０１を方向３０４に変更する（上げる）と、範囲３０２が広がり、閾値３０１を超える画素データの頻度が少なくなる。その結果、画像処理装置が算出する分散が大きくなり、更に白紙と判定され難いものとなる。このように、閾値３０１の値を変更すると白紙と判定する基準を変えることができる。つまり、薄い文字、薄い画像データを多く含んでいる読み取り原稿を白紙判定とさせたくない場合は、白紙判定の強度を白紙と判定され難い設定（白紙判定レベル弱：方向３０４）とする。逆に、薄い原稿を白紙と判定させたい場合は、白紙判定レベルを白紙と判定され易い設定（白紙判定レベル強：方向３０３）とする。以下の説明においては、白紙検知部１０６４の構成を、白紙判定レベルの設定が可能なものとして説明する。
【００２６】
画像入力部１０６は、読み取った原稿画像データに対して読取画像処理部１０６３により処理を施した画像データと、白紙検知部１０６４による白紙検知結果とを出力する。白紙検知結果は、画像データが白紙であるか否かの判断結果である。白紙判定に頻度分布、および頻度分布から算出される分散等を用いる場合、画像入力部１０６による１度の原稿読み取りに対して、複数の白紙判定レベルで白紙検知が可能である。つまり、白紙判定レベル毎に同一原稿の複数回読み取りを行う必要はない。
【００２７】
画像入力部１０６は、読み取った原稿画像データに対して読取画像処理部１０６３により処理を施した画像データと、白紙検知部１０６４による白紙検知結果を出力する。画像入力部１０６の出力データと白紙検知結果は、制御部１０１の制御に基づき、ＤＭＡＣ１１１により記憶部１０８に転送される。記憶部１０８は、ＤＭＡＣ１１１を介して転送された画像データと白紙検知結果とを一時保存する。記憶部１０８に保持された画像データは、制御部１０１の制御に基づき、ＤＭＡＣ１１１により画像処理部１０７に転送される。画像処理部１０７は、記憶部１０８に保持された画像データと白紙検知結果とに基づいて、プレビュー表示用の画像データを生成する。そして、制御部１０１が、プレビュー表示用の画像データを、用紙１枚に含める印刷対象のページの組み合わせの区切りを認識可能なように画像表示部４０１（図４）に表示する。すなわち、画像処理部１０６および制御部１０１は、白紙検知結果に応じて、原稿の印刷プレビューを表示する表示制御手段として機能する。
【００２８】
図４は、画像処理装置が備える操作部の構成の一例を説明する平面図である。操作部１０５は、画像表示部４０１と接触検知部４１１とで構成されるタッチパネルディスプレイと、スタートキー４０２と、ストップキー４０３と、テンキー４０４とを備える。画像表示部４０１は、液晶パネルや有機ＥＬパネル等で構成される。
【００２９】
スタートキー４０２は、原稿画像の読み取り動作の開始を指示するためのキーである。ストップキー４０３は、稼働中の動作の停止を指示するためのキーである。テンキー４０４は、数字と文字のボタン群で構成されており、コピー部数の設定や画像表示部４０１の画面切り替えを指示するためのキーである。
【００３０】
図５は、画像表示部に表示されるプレビュー画面の一例を示す図である。符号５０１は、プレビュー画像表示部であり、画像処理部１０７で生成されたプレビュー表示用の画像データを表示するための領域である。画像データ５０２乃至５０５は、生成されたプレビュー表示用の画像データである。画像データ５０４は、白紙検知部１０６４により白紙と判定された画像データである。なお、本説明においては、白紙と判定された画像は、白紙と判定されていない画像とは異なる表示位置で表示されるが、白紙と判定された画像の表示態様は、図５に示す表示態様に限定されない。例えば、画像処理装置１０は、白紙と判定された画像データを枠で囲ったり、他の画像データより小さく表示したり、半透明に表示するなど、任意の表示態様で表示してもよい。
【００３１】
設定キー５０６は、白紙判定レベルを設定するキーである。バー６００は、設定されている白紙判定レベルを示す。釦５０７は、白紙判定レベルを上げるための釦である。ユーザ操作によって、釦５０７が押し下げられると、設定キー５０６によって白紙判定レベルが上げられ、白紙と判定し易い設定となる。釦５０７の押し下げは、図３（Ｃ）に示す例では、閾値３０１を下げることにより、分散を小さくすることに対応する。
【００３２】
釦５０８は、白紙判定レベルを下げるための釦である。ユーザ操作によって、釦５０８が押し下げられると、設定キー５０６によって白紙判定レベルが下げられ、白紙と判定し難い設定となる。釦５０８の押し下げは、図３（Ｃ）に示す例では、閾値３０１を上げることにより、分散を大きくすることに対応する。本説明においては、設定可能な白紙判定レベルを７段階としているが、白紙判定レベルは７段階に限定されない。つまり、設定可能な白紙判定レベルを３段階、あるいは５段階等、任意の段階とすることができる。
【００３３】
図６は、プレビュー画像表示部にプレビュー表示用の画像データを表示する処理の例を説明するフローチャートである。図６のフローチャートの各ステップは、ＲＯＭ１０３に格納されるプログラムを制御部１０１がＲＡＭ１０４に展開し実行することにより実行される。
【００３４】
まず、図５に示すプレビュー画面を表示する際に、制御部１０１が、画像処理部１０７にて記憶部１０８に保持されている画像データおよび白紙検知結果に基づいて、プレビュー表示用の画像データを生成する（ステップＳ６０１）。そして、制御部１０１が、プレビュー表示用の画像データが白紙と判定されたかを判断する（ステップＳ６０２）。プレビュー表示用の画像データが白紙と判定されていない場合、制御部１０１が、通常の表示開始位置からプレビュー画像データを表示する（ステップＳ６０３）。
【００３５】
プレビュー表示用の画像データが白紙と判定された場合、制御部１０１が、画像データの表示開始位置を、通常の表示開始位置とは異なる開始位置に変更し（ステップＳ６０４）、プレビュー画像データを表示する（ステップＳ６０３）。
【００３６】
次に、制御部１０１が、次のプレビュー表示用の画像データがあるかを判断する（ステップＳ６０５）。次のプレビュー表示用の画像データがない場合は、処理を終了する。次のプレビュー表示用の画像データがある場合は、処理がステップＳ６０２に戻る。
【００３７】
図６を参照して説明したように、画像処理装置１０は、白紙と判定された画像データの表示開始位置を、白紙と判定されていない画像データの表示開始位置と異ならせる。これにより、画像データ全体における、白紙と判定された画像データの位置の確認が容易となる。
【００３８】
接触検知部３１１によって白紙判定レベルの変更が検出された場合は、以下の処理が実行される。画像入力部１０６は、変更された白紙判定レベルに基づく白紙検知部１０６４による白紙検知結果を出力する。そして、制御部１０１が、図６のフローチャートに基づき、プレビュー画面の再描画を行う。
【００３９】
図７は、実施例１におけるプレビュー画面の表示例を示す図である。この例では、印刷設定として両面印刷設定がなされており、画像処理部１０が、両面印刷されるページの組の区切りがどこであるかを判断し、当該区切りを表示する。
図中、画像データ７０１乃至７０８がプレビュー表示用の画像データである。画像データ７０４、７０６、７０７は、白紙検知部１０６４により白紙と判定された画像データである。符号７０３、７０９は、両面印刷の区切りの位置を示すバーである。バー７０３，７０９は、白紙と判定されていない画像データ２枚ごとに表示される。すなわち、制御部１０１は、画像データが白紙でないと２回判断される毎に、印刷対象のページの組み合わせの区切りが発生したと判断する。
【００４０】
図８は、実施例１におけるプレビュー表示処理を説明するフローチャートである。この例では、画像処理装置１０の印刷設定として、両面印刷が設定されているものとする。なお、図８に示すフローチャートの各ステップは、ＲＯＭ１０３に格納されるプログラムを制御部１０１がＲＡＭ１０４に展開し実行することにより実行される。
【００４１】
制御部１０１が、画像処理部１０７にて記憶部１０８に保持されている画像データと、白紙検知結果とに基づいて、プレビュー表示用の画像データを生成する。制御部１０１が、生成されたプレビュー表示用の画像データを読み出す（ステップＳ８０１）。
【００４２】
次に、制御部１０１が、非白紙画像カウントＮをＮ＝０とする（ステップＳ８０２）。非白紙画像カウントＮは、白紙と判定されなかった画像データのカウント値を示す変数である。そして、制御部１０１が、プレビュー表示用の画像データが白紙と判定されたかどうかを判断する（ステップＳ８０３）。プレビュー表示用の画像データが白紙と判定されていない場合は、制御部１０１が、非白紙画像カウントをＮ＝Ｎ＋１とする（ステップＳ８０５）。そして、制御部１０１が、当該画像データの表示開始位置を通常の表示開始位置として、プレビュー画像データを表示する（ステップＳ８０６）。
【００４３】
プレビュー表示用の画像データが白紙と判定された場合は、制御部１０１は、画像データの表示開始位置を通常の表示開始位置とは異なる表示開始位置に変更し（ステップＳ８０４）、プレビュー画像データを表示する（ステップＳ８０６）。
【００４４】
次に、制御部１０１が、Ｎが２以上であるかを判断する（ステップＳ８０７）。Ｎが２以上の場合、制御部１０１が区切り位置を表示し、Ｎ＝０とする（ステップＳ８０８）。続いて、制御部１０１が、次画像データがあるかを判断する（ステップＳ８０９）、次画像データがない場合は処理を終了する。次画像データがある場合は、制御部１０１が次画像データを読み出し（ステップＳ８１０）、処理がステップＳ８０３に戻る。
【００４５】
以上説明したように、本実施例では、画像処理装置１０は、白紙と判定されていない画像データ２枚ごとに区切り位置を表示する。これにより、白紙除去時の両面印刷の組の確認が容易となる。
【００４６】
なお、両面の組の表示方法として、区切り位置を表示する方法の他に、画像データの組を枠で囲む方法、画像データの組を線でつなぐ方法を用いてもよい。また、両面印刷される表面の画像データのプレビューには「表」、裏面の原稿には「裏」という文字や、「１，2 」、「ａ，ｂ」というような、組だと分かる文字を表示する方法を用いてもよい。
【００４７】
図９は、白紙判定レベルの変更に応じたプレビュー画面の変更を説明する図である。図９（Ａ）は、白紙判定レベルが４の場合に表示されるプレビュー画面を示す。画像データ９０１乃至９０９のうち、画像データ９０４が、白紙判定レベル４で白紙と判定された画像データである。符号９０３、９０７、９１０は両面印刷の区切りを示すバーである。
【００４８】
図９（Ａ）に示すプレビュー表示状態で、ユーザが、釦５０７を押下げして、白紙判定レベルを上げると、白紙検知部１０６４が、ユーザの操作にしたがって変更された白紙判定レベルに基づく白紙検知結果を出力する。そして、制御部１０１が、白紙検知結果に基づいて、プレビュー画面の再描画を行う。この例では、ユーザは、白紙判定レベルを６に変更したものとすると、図９（Ａ）に示すプレビュー画面が図９（Ｂ）に示すプレビュ−画面に更新される。なお、制御部１０１が、プレビュー表示状態で、例えば図３に示すような画像データの輝度分布を同じ画面または別個の画面に表示し、白紙判定レベルの変更に応じて閾値３０１の表示位置を変更するようにしてもよい。
【００４９】
図９（Ｂ）は、白紙判定レベルが６の場合に表示されるプレビュー画面を示す。白紙判定レベルが上げられたことにより、画像データ９０６と画像データ９０８とが白紙と判定される。これにより、両面印刷の区切り９０７の位置が図９（Ｂ）に示す位置に変更される。すなわち、制御部１０１は、用紙へのページの割り付けに関する印刷設定（この例では、両面印刷設定）と、白紙判定レベルとに基づいて、用紙１枚に含める印刷対象のページの組み合わせの区切りを決定する。このように、本実施例によれば、白紙判定レベルの変更に応じて、１枚の用紙に含められるページの組の区切りが更新される。これにより、ユーザは、白紙判定レベルの変更に応じた、両面印刷されるページの組を容易に確認できるようになる。
【００５０】
（実施例２）
実施例２の画像処理装置１０は、印刷設定として用紙１枚にＮページを集約して印刷するＮ−ｕｐ印刷設定がなされている場合に、白紙判定レベルに応じたＮページの区切りをプレビュー表示画面上に表示する。すなわち、本実施例では、制御部１０１は、画像データが白紙であるとＮ回判断される毎に、印刷対象のページの組み合わせの区切りが発生したと判断する。
【００５１】
図１０は、実施例２におけるプレビュー表示処理を説明するフローチャートである。図１０に示す例では、用紙１枚に４ページを集約して印刷する４−ｕｐ印刷が設定されているものとする。なお、本発明の適用範囲は、４−ｕｐ印刷に限定されず、任意の数のページを用紙１枚に集約する印刷設定に適用可能である。図１０に示すフローチャートの各ステップは、ＲＯＭ１０３に格納されるプログラムを制御部１０１がＲＡＭ１０４に展開し実行することにより実行される。
【００５２】
図１０のステップＳ１００１乃至Ｓ１００６は、図８のステップＳ８０１乃至Ｓ８０６と同様である。
ステップＳ１００７において、制御部１０１がＮが４以上であるかを判断する。Ｎが４以上の場合、制御部１０１が区切り位置を表示し、Ｎ＝０とする（ステップＳ１００８）。そして、処理がステップＳ１００９に進む。
【００５３】
上述したように、画像処理装置１０は、Ｎ−ｕｐ印刷が設定されている場合に、白紙と判定されていない画像データＮ枚ごとに区切り位置を表示する。これにより、白紙をスキップしてＮ−ｕｐ印刷を実行する場合における、用紙１枚に割り付けられるページの組の確認が容易となる。
【００５４】
また、接触検知部３１１によって白紙判定レベルの変更が検出された場合は、以下の処理が実行される。画像入力部１０６は、変更された白紙判定レベルに基づく白紙検知部１０６４による白紙検知結果を出力する。そして、制御部１０１が、図１０のフローチャートに基づき、プレビュー画面の再描画を行う。これにより、ユーザは、白紙判定レベルの変更に応じたページ集約の組の区切りを容易に確認することができる。
【００５５】
（その他の実施例）
また、本発明は、以下の処理を実行することによっても実現される。上記実施形態の機能を実現するソフトウェア（コンピュータプログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００５６】
１０  画像処理装置
１０１  制御部
１０７  画像処理部
【図１】
2015023559.tif 000003
【図２】
2015023559.tif 000004
【図３】
2015023559.tif 000005
【図４】
2015023559.tif 000006
【図５】
2015023559.tif 000007
【図６】
2015023559.tif 000008
【図７】
2015023559.tif 000009
【図８】
2015023559.tif 000010
【図９】
2015023559.tif 000011
【図１０】
2015023559.tif 000012